(57)【要約】【課題】収納時にホースに無理がかからず、コンパクトに収納できるようにする。【解決手段】吸込口１ａと排気口１ｂと持ち運び用のハンドル６とを有する掃除機本体１の外郭を、ホース２が接触して同心円上に巻回可能な円形又は楕円形に形成して、吸込口１ａに接続されたホース２の収納時の巻胴１ｃとして構成し、吸込口１ａに接続されたホース２の他端側を収納時に掃除機本体１の外郭からなる巻胴１ｃに巻き付けて固定できるようにする。【選択図】図１
2008043602.tif 000002
【特許請求の範囲】
【請求項１】
吸込口と排気口と持ち運び用のハンドルとを有する掃除機本体の外郭を、前記吸込口に接続されたホースの収納時の巻胴として構成したことを特徴とする電気掃除機。
【請求項２】
前記掃除機本体の外郭からなる巻胴は、前記ホースが接触して同心円上に巻回可能な円形又は楕円形に形成されていることを特徴とする請求項１記載の電気掃除機。
【請求項３】
前記ホースは、一端に前記吸込口との接続部を有するとともに、他端に延長パイプやノズルと接続可能な手元部を有し、該手元部の下辺が前記巻胴形状に沿う円弧に形成されていることを特徴とする請求項２記載の電気掃除機。
【請求項４】
前記吸込口と排気口は、前記掃除機本体の外郭の周側壁部における対向位置にてそれぞれ外方へ突設されており、これら突設された吸込口および排気口よりも上部の前記周側壁部が前記巻胴として構成されていることを特徴とする請求項１乃至請求項３のいずれかに記載の電気掃除機。
【請求項５】
前記排気口は、その突出量が前記ホースの直径よりも大きく設定され、前記掃除機本体を縦置きする際のスタンドとして機能するように構成されていることを特徴とする請求項４記載の電気掃除機。
【請求項６】
前記持ち運び用のハンドルは、前記吸込口側に配置され、側方からみて掃除機本体側より延出して先端側が上方に屈曲されたＬ字状に形成され、該ハンドルのＬ字状部と前記掃除機本体の外郭とで形成される空間部を前記ホースが通過するように前記巻胴が形成されていることを特徴とする請求項１乃至請求項５のいずれかに記載の電気掃除機。
【請求項７】
前記巻胴に巻回される前記ホースの終端となる前記手元部と前記持ち運び用のハンドルとが係合可能に構成されていることを特徴とする請求項３乃至請求項６のいずれかに記載の電気掃除機。
【請求項８】
前記掃除機本体の外郭の周側壁部における上辺部の少なくとも一部に、ホースガイドを設けたことを特徴とする請求項４乃至請求項７のいずれかに記載の電気掃除機。
【請求項９】
前記巻胴の周面における巻回される前記ホースの終端位置近傍に、該ホースの手元部の横振れを規制するホースホルダを設けるとともに、該ホースの手元部に、前記ホースホルダと係合可能なホース取付フックを設けたことを特徴とする請求項３乃至請求項８のいずれかに記載の電気掃除機。
【請求項１０】
前記持ち運び用のハンドルに、前記掃除機本体を縦置きする際に前記延長パイプを保持可能なパイプホルダを設けるとともに、前記延長パイプに前記パイプホルダと係合可能なパイプ取付フックを設けたことを特徴とする請求項３乃至請求項９のいずれかに記載の電気掃除機。
【発明の詳細な説明】
【技術分野】
【０００１】
本発明は、収納時にホースに無理がかからず、コンパクトに収納できる電気掃除機に関する。
【背景技術】
【０００２】
従来より、電気掃除機を収納する際、掃除機本体の後面を床面に接地させ、ホース接続部が上方に位置するように掃除機本体を立てた状態にし、延長パイプに設けたパイプ取付フックを掃除機本体に設けたパイプホルダに係合させて、ホースから床ノズルまでを掃除機本体に保持させるようにした、いわゆる「スタンド収納」は知られれている（例えば、特許文献１及び特許文献２参照）。
【０００３】
【特許文献１】特開２００１-２３１７２９号公報（図１、図４）
【特許文献２】特開２００３-１２５９８５号公報（図１、図５）
【発明の開示】
【発明が解決しようとする課題】
【０００４】
しかしながら、収納時に前述のようにホースから床ノズルまでを取り付けた状態で掃除機本体に保持させるようにした従来のスタンド収納方式のものにあっては、収納時にホースが掃除機本体から独立した形で保持され、基本的にフリー状態におかれている。このため、ホースが本体から離れた空間部で弧を描き、引っ掛け易くなっていて、ホースに接触して引っ掛け、本体ごと倒してしまうことがあった。
【０００５】
そこで、掃除機本体の前後にホース引っ掛け部を設け、この前後のホース引っ掛け部に収納時にホースを引っ掛け、折り返すように巻き付けて横置き収納することで、ホースの自由動をある程度規制できるようにしたものが提案されているが、この場合には、ホースの折り返し部に負荷がかかり、ホースを痛めてしまう可能性がある。これを解消するためには、ホース引っ掛け部における巻回円弧を緩やかにすればよい。しかし、この場合には、前後のホース引っ掛け部間にてホースが本体から離れた空間部で弧を描き、前述のスタンド収納方式のもの同様にホースを引っ掛け易くなるという新たな問題が発生する。
【０００６】
本発明の技術的課題は、収納時にホースに無理がかからず、コンパクトに収納できるようにすることにある。
【課題を解決するための手段】
【０００７】
本発明に係る電気掃除機は、吸込口と排気口と持ち運び用のハンドルとを有する掃除機本体の外郭を、吸込口に接続されたホースの収納時の巻胴として構成したものである。
【発明の効果】
【０００８】
本発明の電気掃除機によれば、掃除機本体の外郭を、吸込口に接続されたホースの収納時の巻胴として構成しているので、収納時には吸込口に接続されたホースの他端側を掃除機本体の外郭からなる巻胴に巻き付けて固定することができる。このため、収納時にホースに無理がかからず、かつコンパクトに収納することができる。
【発明を実施するための最良の形態】
【０００９】
実施の形態１．
以下、図示実施形態により本発明を説明する。
図１は本発明の実施の形態１に係る電気掃除機の全体構成を示す斜視図、図２はその掃除機本体を拡大して示す斜視図、図３はその掃除機本体の平面図、図４はその掃除機本体の側面図、図５はその掃除機本体の正面図、図６はその掃除機本体の背面図、図７はそのスタンド収納状態を示す斜視図、図８はそのホースの手元部の横振れを規制するホースホルダとホース取付フックとの関係を示す部分拡大図、図９はホースの手元部と延長パイプを接続した状態での収納（移動時）態様を示す斜視図、図１０は持ち運び用のハンドルに設けたパイプホルダと延長パイプ側のパイプ取付フックとの関係を示す部分拡大図である。
【００１０】
本実施の形態の電気掃除機は、図１のように電動送風機や集塵室などを搭載した掃除機本体１の吸込口１ａに蛇腹のホース２の一端に設けた接続部２ａが連結され、またホース２の他端に設けた手元部２ｂにロングノズル３や延長パイプ４が連結され、さらに延長パイプ４に床ノズル５が連結されるようになっている。
【００１１】
これを更に詳述すると、掃除機本体１の外郭は、上方からみて図３のように基本的に円形に形成されている。また、図２乃至図４のように一側部に吸込口１ａが、これと対向する他側部に排気口１ｂが、それぞれ外方へ突出して形成され、これら吸込口１ａ及び排気口１ｂよりも上部の周側壁部がホース２の巻胴１ｃとして構成されている。したがって、吸込口１ａ及び排気口１ｂは、巻胴１ｃに巻回されるホース２の一側部のガイドとして、つまり横置き状態下でホース２を巻回する際の受面として機能する。
【００１２】
排気口１ｂは、図２、図４及び図６のように断面矩形に形成され、その突出量がホース２の直径よりも大きく設定されているとともに、上面がホース受け面１ｅとして構成されている。したがって、排気口１ｂは、掃除機本体１を図７及び図９のように縦置きする際にはスタンドとして機能する。このため、収納時の接地スペースを小さくすることができる。
なお、ここでは排気口１ｂの先端開口面の両側に、それぞれ接地部材１０が取り付けられ、縦置き状態にあっても排気風路が確保できるようになっており、これによって縦置き状態での掃除機の使用も可能となっている。また、接地部材１０は、排気口１ｂのホース受け面１ｅよりも上方に突出する上方突出部１０ａを有し、上方突出部１０ａの前面が円弧面１０ｂに形成されており、これによってホース２を巻回する際に、巻回作業を容易に行うことができ、かつホース２が巻胴１ｃ部分から脱落するのを防止できるようになっている。接地部材１０は、ここでは別体から構成しているが、排気口１ｂと一体成形することも可能である。
【００１３】
掃除機本体１の吸込口１ａ側には、持ち運び用のハンドル６が設けられている。このハンドル６は、図４のように側方からみると掃除機本体１側より外方に延出して先端側が上方に屈曲されたＬ字状を呈し、ハンドル６のＬ字状部と前記掃除機本体の外郭すなわち周側壁とで形成される空間部７をホース２が通過するように巻胴１ｃが形成されている。したがって、ハンドル６は、本来の把手機能以外に、横置き状態下でホース２を巻回する際に空間部７に通したホース２が外方へ移動するのを阻止してホース２が巻胴１ｃ部分から脱落するのを防止するホースガイド機能と、図７のようなホース収納時に掃除機本体１の上部より何かが落下あるいは倒れてきた場合の衝撃からホース２を保護するホース保護機能を有する。このため、ホース収納時に掃除機本体１の上部より何かが落下あるいは倒れてきても、この落下あるいは倒れてきた物と掃除機本体１の外郭との間にホース２が挟まれ潰れるのをハンドル６により防止することができる。
【００１４】
また、ハンドル６の下面には、図５、図９及び図１０のように掃除機本体１を縦置きする際に延長パイプ４を保持可能なパイプホルダ６ａが一体に設けられているとともに、延長パイプ４に、パイプホルダ６ａの凹部６ｂと係合可能なパイプ取付フック９が取り付けられており、パイプ取付フック９をパイプホルダ６ａの凹部６ｂと係合させることで、例えば図９のようにホース２から床ノズル５までを取り付けた状態で掃除機本体１に保持させることができるようになっている。
【００１５】
巻胴１ｃの周面における巻回されるホース２の終端位置近傍、ここでは図２、図５及び図８のように巻胴周面におけるハンドル６の両側位置に、巻胴１ｃに右巻きあるいは左巻きされるホース２の手元部２ｂの主に横振れを規制する凹部からなるホースホルダ１ｄ，１ｄが設けられているとともに、ホース２の手元部２ｂに、左右のホースホルダ１ｄ，１ｄのいずれかの凹部と係合可能（巻き方向によって係合可能なホースホルダが決まる）なホース取付フック２ｃが設けられている。したがって、図７のようなホース収納時、つまり巻胴１ｃへのホース２の巻回時に、図８のように手元部２ｂのホース取付フック２ｃを巻胴１ｃ側のホースホルダ１ｄの凹部に差し込み係合させれば、巻胴１ｃに巻回されるホース２終端部の横振れが規制され、縦置きした場合でも巻胴１ｃからのホース２の脱落が防止される。
【００１６】
また、ホース２は、手元部２ｂの下辺２ｄが、図１、図７乃至図９のように巻胴形状に沿う円弧に形成されていて、ホース収納時、つまり巻胴１ｃへのホース２の巻回時に、図７の如く手元部２ｂを含むホース２を、巻胴１ｃの全周に亘って接触させることができ、ホース２を巻胴１ｃの形状（円形）に沿って同心状に巻回することができる。このため、ホース２の巻回状態が安定し、収納時にホース２に無理がかからず、コンパクトに纏めることができ、収納状態での持ち運びも容易になる。
【００１７】
さらにまた、ホース２は、図１、図７及び図８のように手元部２ｂにおける各種のスイッチ２ｅを有する操作部２ｆがリング状に形成され、巻胴１ｃへ巻回されるホース２の終端となる手元部２ｂが、図７の如くリング状の操作部２ｆを介して掃除機本体１側のハンドル６と係合可能に構成されている。これにより、収納時に巻胴１ｃへホース２を巻回し、ホース２側の操作部２ｆと掃除機本体１側のハンドル６とを係合させることにより、ホース２を掃除機本体１側に固定することができ、かつホース２が緩むのを防止することができる。そして、前述のホースホルダ１ｄによる横振れ規制効果との相乗効果によって、ホース２の巻回状態がより安定する。
【００１８】
以上の構成を有する本実施の形態の電気掃除機において、通常使用時に、掃除を一時中断する場合は、図９のように掃除機本体１を縦置きして、ホース２から床ノズル５までを取り付けた状態のまま図１０のようにパイプ取付フック９をパイプホルダ６ａの凹部６ｂと係合させる。これにより、ホース２から床ノズル５までを取り付けた状態で掃除機本体１に保持させることができ、平面的にみた掃除機の占有空間をある程度縮少することができる。
【００１９】
また、掃除を終え、収納する際は、例えば図９の状態からホース２の手元部２ｂを延長パイプ４から抜いてこれらを分離し、ホース２を掃除機本体１の巻胴１ｃに右回りあるいは左回りに巻回し、図８のように手元部２ｂのホース取付フック２ｃを巻胴１ｃ側のホースホルダ１ｄの凹部に差し込み係合させるとともに、図７のように手元部２ｂのリング状の操作部２ｆを掃除機本体１側のハンドル６と係合させる。これにより、手元部２ｂを含むホース２を、巻胴１ｃに接触させてその周りに同心状に巻回させて、無理なくコンパクトに纏めることができ、平面的にみた掃除機全体の占有空間を大幅に縮少することができ、これまでよりも狭隘な場所への収納が可能となる。
【００２０】
実施の形態２．
図１１は本発明の実施の形態２に係る電気掃除機のスタンド収納状態を示す斜視図であり、図中、前述の実施の形態１のものと同一部分には同一符号を付してある。
【００２１】
本実施の形態の電気掃除機は、除機本体１の巻胴１ｃへ巻回されるホース２の手元部２ｂのリング状操作部２ｆに、除機本体１側のハンドル６と係合可能なホース掛け止めフック２ｇを設け、収納時におけるホース２の手元部２ｂと除機本体１側のハンドル６との係合をより確実に行わせるようにした点が前述の実施の形態１のものと異なっており、それ以外の構成は実施の形態１のものと同一であり、実施の形態１のもつ機能を全て備えている。
【００２２】
本実施の形態の電気掃除機においては、巻胴１ｃに巻回されるホース２終端部となる手元部２ｂを、ホース掛け止めフック２ｇによって除機本体１側のハンドル６に確実に係合させて固定することができる。このため、収納時にホース２を掃除機本体１側に確実に固定することができ、かつホース２が緩むのを確実に防止することができる。そして、前述のホースホルダ１ｄ（図８参照）による横振れ規制効果との相乗効果によって、ホース２の巻回状態を一層安定させることができる。
【００２３】
実施の形態３．
図１２は本発明の実施の形態３に係る電気掃除機の掃除機本体を示す斜視図であり、図中、前述の実施の形態１のものと同一部分には同一符号を付してある。
【００２４】
本実施の形態の電気掃除機は、掃除機本体１の外郭の周側壁部における上辺部の少なくとも一部（ここではハンドル６に対向する部位）に、ホースガイド１ｆを設け、巻胴１ｃに巻回されるホースをホースガイド１ｆにより外側より保持できるようにして、ホースの脱落を防止した点が前述の実施の形態１のものと異なっており、それ以外の構成は実施の形態１のものと同一であり、実施の形態１のもつ機能を全て備えている。
【００２５】
本実施の形態の電気掃除機においては、巻胴１ｃに巻回されるホースの終端部が、吸込口１ａとホースガイド１ｆにより両側より挟まれて横移動が阻止されているので、あたかもみぞ付巻胴の如くホース終端部が巻胴１ｃの中心線上に案内される。このため、縦置きした場合でも巻胴１ｃからのホースの脱落を防止することができる。
【００２６】
なお、ここではホースガイド１ｆを掃除機本体１の外郭の周側壁部における上辺部の一部に設けたものを例に挙げて説明したが、これを掃除機本体１の外郭の周側壁部における上辺部の全周に亘り張り出すフランジ状に形成してもよいことは言うまでもない。
【００２７】
また、ここでは巻胴１ｃにホースホルダ１ｄを設けたものを図示しているが、既述したように吸込口１ａとホースガイド１ｆによりホースを両側より挟み横移動が阻止できるので、ホースホルダ１ｄを不要にすることも可能である。
【００２８】
ところで、前述の各実施の形態ではいずれも掃除機本体１の外郭を上方からみて円形に形成したものを例に挙げて説明しているが、これは掃除機本体１の外郭を巻胴１ｃとして構成できるように、つまり巻回されるホース２が掃除機本体１の外郭の全周に亘って接触して同心円上に巻回できるようにするための一形態に過ぎない。したがって、掃除機本体１の外郭の形状（上方からみた形状）は、巻回されるホース２が掃除機本体１の外郭の全周に亘って接触して同心円上に巻回できる形状であればよく、例えば楕円形でも、あるいは多少いびつな形状でも採用可能である。
【図面の簡単な説明】
【００２９】
【図１】本発明の実施の形態１に係る電気掃除機の全体構成を示す斜視図である。
【図２】本発明の実施の形態１に係る電気掃除機の掃除機本体を拡大して示す斜視図である。
【図３】本発明の実施の形態１に係る電気掃除機の掃除機本体の平面図である。
【図４】本発明の実施の形態１に係る電気掃除機の掃除機本体の側面図である。
【図５】本発明の実施の形態１に係る電気掃除機の掃除機本体の正面図である。
【図６】本発明の実施の形態１に係る電気掃除機の掃除機本体の背面図である。
【図７】本発明の実施の形態１に係る電気掃除機のスタンド収納状態を示す斜視図である。
【図８】本発明の実施の形態１に係る電気掃除機のホースホルダとホース取付フックとの関係を示す部分拡大図である。
【図９】本発明の実施の形態１に係る電気掃除機のホースの手元部と延長パイプを接続した状態での収納（移動時）態様を示す斜視図である。
【図１０】本発明の実施の形態１に係る電気掃除機のパイプホルダとパイプ取付フックとの関係を示す部分拡大図である。
【図１１】本発明の実施の形態２に係る電気掃除機のスタンド収納状態を示す斜視図である。
【図１２】本発明の実施の形態３に係る電気掃除機の掃除機本体を示す斜視図である。
【符号の説明】
【００３０】
１  掃除機本体、１ａ  吸込口、１ｂ  排気口、１ｃ  巻胴、１ｄ  ホースホルダ、１ｅ  ホース受面、１ｆ  ホースガイド、２  ホース、２ａ  接続部、２ｂ  手元部、２ｃ  ホース取付フック、２ｄ  手元部の下辺、２ｅ  スイッチ、２ｆ  操作部、２ｇ  ホース掛け止めフック、３  ロングノズル、４  延長パイプ、５  床ノズル、６  ハンドル、６ａ  パイプホルダ、７  空間部、９  パイプ取付フック、１０  接地部材、１０ａ  上方突出部、１０ｂ  円弧面。
【図１】
2008043602.tif 000003
【図２】
2008043602.tif 000004
【図３】
2008043602.tif 000005
【図４】
2008043602.tif 000006
【図５】
2008043602.tif 000007
【図６】
2008043602.tif 000008
【図７】
2008043602.tif 000009
【図８】
2008043602.tif 000010
【図９】
2008043602.tif 000011
【図１０】
2008043602.tif 000012
【図１１】
2008043602.tif 000013
【図１２】
2008043602.tif 000014